(57)【特許請求の範囲】
【請求項１】
筺体の内部を仕切板にて前後に仕切って前室と後室を設け、筺体に浄化用空気吸い込み口や浄化した空気の吐出口を設けると共に浄化用空気吸い込み口や吐出口を前室に連通させ、浄化用空気吸い込み口から吸い込んだ空気を浄化するフィルターを前室に内装し、筺体にエアーカーテン用空気吸い込み口やエアーカーテン用吹き出し口を設けると共にこのエアーカーテン用空気吸い込み口やエアーカーテン用吹き出し口を後室に連通させ、仕切板に貫通する開口に前室と後室とに亙るように１つのファンを内装し、ファンの前室側の部分と後室側の部分との外径を違えて大径ファン部と小径ファン部とを形成すると共に仕切板の開口縁を小径ファン部の外周に位置させて成ることを特徴とする空気清浄器。
【請求項２】
ファンの前室側の部分を小径ファン部とすると共にファンの後室側の部分を大径ファン部とし、仕切板の開口縁を小径ファン部の外周に位置させて成ることを特徴とする請求項１記載の空気清浄器。
【請求項３】
筺体の背面にエアーカーテン用空気吸い込み口を設け、筺体の背面に筺体の背面が壁面等に密着しないようにするための離間用の突出部を筺体の背面に設けて成ることを特徴とする請求項１または請求項２記載の空気清浄器。
【発明の詳細な説明】
【０００１】
【発明の属する技術分野】
本発明は、粉塵やタバコの煙を吸引して清浄化し、清浄化した空気を吹き出し、またこのときタバコの煙が周囲に拡散しないようにエアーカーテンを形成する空気清浄器の構造に関するものである。
【０００２】
【従来の技術】
従来の空気清浄器は図１０に示すように構成されている。筺体１の内部は仕切板２にて前後に仕切って前室３と後室４を設けてあり、筺体１の前面には浄化用空気吸い込み口５を設けてあり、筺体１の上面には浄化した空気の吐出口６を設けてあり、浄化用空気吸い込み口５や吐出口６を前室３に連通させてあり、浄化用空気吸い込み口５から吸い込んだ空気を浄化するフィルター７を前室３に内装してある。筺体１の背面にはエアーカーテン用空気吸い込み口９を設けてあり、筺体の１の前面には上記浄化用空気吸い込み口５の両側でエアーカーテン用吹き出し口１０を設けてあり、エアーカーテン用空気吸い込み口９を後室４に連通させてあり、エアーカーテン用吹き出し口１０を連通路１１を介して後室４に連通させてある。仕切板２に貫通する開口１２に前室３と後室４とに亙るように１つのファン１３を内装してある。ファン１３の内周側にはモータ３０を配置してあり、モータ３０の出力軸３１をファン１３のファンベース３２の中心に連結してある。しかして、モータ３０にてファン１３を回転駆動すると、浄化用空気吸い込み口５からタバコの煙や粉塵を含んだ空気が矢印ａのように吸い込まれ、フィルター７に粉塵やタバコの煙が吸着され、清浄化された空気が吐出口６から矢印ｂのように吐出される。一方、エアーカーテン用空気吸い込み口９から空気が矢印ｃのように空気が後室４に吸い込まれ、後室４から連通路１１を介してエアーカーテン用吹き出し口１０から矢印ｄのように空気が吹き出されて浄化用空気吸い込み口５の両側にエアーカーテンが形成される。
【０００３】
【発明が解決しようとする課題】
上記空気清浄器は、１つのファン１３を駆動するだけで空気を清浄化すると共にエアーカーテンを形成できるものであるが、前室３を流れる空気と後室４を流れる空気が混合し、違いに干渉して性能が落ちるという問題がある。つまり、前室３内にはフィルター７を介して空気を吸引するために前室３の圧力が低圧となり、後室４の圧力が高圧となるが、この圧力差によりファン１３の外周と開口１２縁との隙間から矢印ｅのように空気が弊害なく流れ込む。このため後室４の圧力が低くなり、完全なエアーカーテンを形成できないという問題があり、また前室３の圧力が高くなって浄化用空気吸い込み口５から空気を吸い込む力が弱くなり、空気を清浄化する効率が落ちるという問題がある。
【０００４】
本発明は叙述の点に鑑みてなされたものであって、前室と後室との間での空気の漏れを少なくしてエアーカーテンや空気清浄化の性能が落ちるのを防止することを課題とする。
【０００５】
【課題を解決するための手段】
上記課題を解決するために本発明の空気清浄器は、筺体１の内部を仕切板２にて前後に仕切って前室３と後室４を設け、筺体１に浄化用空気吸い込み口５や浄化した空気の吐出口６を設けると共に浄化用空気吸い込み口５や吐出口６を前室３に連通させ、浄化用空気吸い込み口５から吸い込んだ空気を浄化するフィルター７を前室３に内装し、筺体１にエアーカーテン用空気吸い込み口９やエアーカーテン用吹き出し口１０を設けると共にこのエアーカーテン用空気吸い込み口９やエアーカーテン用吹き出し口１０を後室４に連通させ、仕切板２に貫通する開口１２に前室３と後室４とに亙るように１つのファン１３を内装し、ファン１３の前室３側の部分と後室４側の部分との外径を違えて大径ファン部１３ａと小径ファン部１３ｂとを形成すると共に仕切板２の開口１２縁を小径ファン部１３ｂの外周に位置させて成ることを特徴とする。ファン１３の前室３側の部分と後室４側の部分との外径を違えて大径ファン部１３ａと小径ファン部１３ｂとを形成すると共に仕切板２の開口１２縁を小径ファン部１３ｂの外周に位置させたことにより、前室３と後室４との間の圧力差で仕切板２の開口１２縁と小径ファン部１３ｂの外周との間を空気が流れようとしても流路が複雑になって空気が流れにくくなり、前室３と後室４との間で空気の漏れが少なくなって前室３や後室４が所定の圧力に保たれ、エアーカーテンや空気清浄化の性能が落ちることがない。
【０００６】
またファン１３の前室３側の部分を小径ファン部１３ｂとすると共にファン１３の後室４側の部分を大径ファン部１３ａとし、仕切板２の開口１２縁を小径ファン部１３ｂの外周に位置させて成ることを特徴とすることも好ましい。この場合、後室４側が大径ファン部１３ａで送風できて後室４の送風量を多くしてより完全なエアーカーテンを形成できる。
【０００７】
また筺体１の背面にエアーカーテン用空気吸い込み口９を設け、筺体１の背面に筺体１の背面が壁面等に密着しないようにするための離間用の突出部１４を筺体１の背面に設けて成ることを特徴とすることも好ましい。この場合、筺体１を机等の上に置いて筺体１の背面を壁面等に近づけてもエアーカーテン用空気吸い込み口９を塞ぐことがなく、本来の性能を発揮することができ、またモータの異常発熱を防止することができる。
【０００８】
【発明の実施の形態】
まず、図１乃至図５に示す実施の形態から述べる。
筺体１は偏平な角箱状に形成されており、内部にファン１３やファン１３を駆動するモータ３０やフィルター７を内装してある。この筺体１は図４や図５に示すように前面板１ａ、筺体本体１ｂ、風洞部材１ｃ及び背面板１ｄで構成されている。筺体１内は仕切板２にて前後に仕切ってあって、前後に前室３と後室４とを設けてある。仕切板２は風洞部材１ｃに設けてあって、前面板１ａと風洞部材１ｃの仕切板２との間が前室３となっており、風洞部材１ｃの仕切板２と背面板１ｄとの間が後室４となっている。前室３内で前面板１ａと筺体本体１ｂとの間をフィルター収納空間１５としてあり、フィルター収納空間１５内にフィルター７を収納してある。筺体１の前面板１ａには浄化用空気吸い込み口５を設けてあり、浄化用空気吸い込み口５を前室３内に連通させてある。筺体１の風洞本体１ｃの上面には吐出口６を設けてあり、前室３を吐出口６に連通させてある。後室４の上下には風洞部材１ｃと一体に風ガイド部材１６ａ，１６ｂを設けてある。筺体１の背面板１ｄにはエアーカーテン用空気吸い込み口９を設けてあり、エアーカーテン用空気吸い込み口９を後室４に連通させてある。筺体１の筺体本体１ｂの両側の前面にはエアーカーテン用吹き出し口１０を設けてあり、エアーカーテン用吹き出し口１０と後室４とを両側の連通路１１を介して連通させてある。
【０００９】
また筺体１の前室３と後室４とには仕切板２の開口１２を介して前室３と後室４とに亙るように１つのファン１３を内装してあり、モータ３０にてファン１３を回転駆動できるようになっている。このファン１３は後室４内に位置する大径ファン部１３ａと前室３内に位置する小径ファン部１３ｂとで構成されており、仕切板２の開口１２を大径ファン部１３ａと小径ファン部１３ｂとの間の部分で小径ファン部１３ｂの外周に位置させてある。ファン１３の大径ファン部１３ａと小径ファン部１３ｂとの間の部分でこれらと一体になるようにファンベース３２が設けられており、小径ファン部１３ｂの内周側にはモータ３０が配置されており、モータ３０の出力軸３１がファンベース３２の中心に連結されている。筺体１の背面板１ｄの上部には取っ手用の凹部１７を凹設してあり、この凹部１７に手を掛けることで持ち運びできるようになっている。筺体１の前面には空気清浄器の運転を操作する運転スイッチ２５を設けてある。筺体１の下端には脚部１８を装着してあり、筺体１の背面板１ｄから背方に突出する突出部１４を脚部１８と一体に設けてある。また誘導部材２０は筺体１の幅方向に亙る長さの平板状の捕集部２０ａと、捕集部２０ａの下面から一体に突設した誘導部２０ｂと、捕集部２０ａの両端に一体に設けた脚部２０ｃと、整流ファン２０ｄとで構成され、合成樹脂のような材料にて形成されている。筺体１の両側の側面には誘導部材２０の脚部２０ｃを収納し得る脚部収納凹部２１を設けてあり、両側の脚部２０ｃの端部の取り付け部２２を脚部収納凹部２１の上部に回動自在に装着してある。この誘導部材２０は捕集部２０ａが吐出口６の上方に位置するように回動した状態が誘導部材２０の使用状態であり、捕集部２０ａが前面板１ａに沿うように倒した状態が収納状態である。
【００１０】
しかしてモータ３０にてファン１３を駆動すると、浄化用空気吸い込み口５から図１の矢印ａのように粉塵やタバコの煙を含んだ空気が吸い込まれ、フィルター７に粉塵やタバコの煙が捕集されて空気が清浄化され、清浄化された空気が吐出口６から図１の矢印ｂに示すように吐出される。一方、エアーカーテン用吸い込み口９から図１の矢印ｃに示すように後室４内に空気が吸い込まれ、後室４から連通路１１を介してエアーカーテン用吹き出し口１０から空気が吹き出される。このとき後室４の方が前室３より圧力が高くなって仕切板２の開口１２縁とファン１３の外周との間から空気が流れて漏れるおそれがあるが、ファン１３が大径ファン部１３ａと小径ファン部１３ｂとで構成され、開口１２縁を小径ファン部１３ｂの外周に位置させているために圧力差があっても図１の矢印ｅのように空気が蛇行した経路を流れることとなり、この部分の空気が流れにくくなる。従ってエアーカーテン用吹き出し口１０から強く空気を吹き出してエアーカーテンを確実に形成できると共に浄化用空気吸い込み口５から確実に空気を吸い込んで空気の清浄化の効率を向上できる。また後室４内に大径ファン部１３ａを配置してあるために後室４からの送風量を多くしてエアーカーテンを一層確実に形成できる。また空気清浄器の筺体１は机の上などに設置されるが、筺体１の背面を壁面等に近づけても、突出部１４で筺体１の背面と壁面等との間に隙間が確保され、エアーカーテン用吸い込み口９が塞がれることがなくて本来の機能を果たすことができ、またモータが異常発熱したりすることがない。また誘導部材２０を使用状態にしたときには上面の吐出口６から吐出された風の一部が誘導部材２０の捕集部２０ａで捕集され、整流フィン２０ｄにて整流されて誘導部２０ｂに導かれ、誘導部２０ｂにて風が斜め下方を向くように誘導されて風が下方に落とし込まれ、タバコの煙が浄化用空気吸い込み口５に誘導され、浄化用空気吸い込み口５からタバコの煙が確実に吸い込まれる。
【００１１】
図６、図７は他の例であるが、基本的な構成は上記例と同じであるために説明は省略する。図６の例の場合、仕切板２をファン１３の大径ファン部１３ａと小径ファン部１３ｂとの間の中間より小径ファン部１３ｂ側に片寄せてあり、小径ファン部１３の外周に開口１２縁を位置させてある。図７の例の場合、仕切板２をファン１３の大径ファン部１３ａと小径ファン部１３ｂとの中間部に配置してあり、仕切板２に開口１２側に行く程小径ファン部１３ｂ側に傾く傾斜部２４を設けてあり、開口１２縁を小径ファン部１３ｂの外周に位置させてある。
【００１２】
なお、上記例ではファン１３の大径ファン部１３ａを後室４に位置させ、小径ファン部１３ｂを前室３に位置させたが、大径ファン部１３ａを前室３側に位置させ、小径ファン部１３ｂを後室４側に位置させ、仕切板２の開口１２縁を小径ファン部１３ｂの外周に位置させても上記と同様に前室３と後室４との間で空気が漏れるのを防止することができる。
【００１３】
また図８は他の例を示す。図８（ａ）に示すようにファン１３の小径ファン部１３ｂの内周側にモータ３０が配置され、モータ３０の出力軸３１がファン１３のファンベース３２の中心に連結されるが、モータ３０の前後方向の長さが長いと、モータ３０がファン１３の端面よりはみ出し、モータ３０とファン１３を組み立てたユニットの前後方向の長さがＡとなり、空気清浄器が大型になるという問題がある。そこで、本発明では、ファンベース３２を図８（ｂ）に示すように大径ファン部１３ａ側に屈曲させており、モータ３０の端面がファン１３の端面よりはみ出さないようにファン１３の内部にモータ３０を納め、モータ３０の出力軸３１をファンベース３２の中央に連結してある。このようにすると、モータ３０とファン１３とを組み立てたユニットの前後長さがファン１３の前後長さと同じＢ（Ｂ＜Ａ）と短くなり、空気清浄器が大型にならない。
【００１４】
図９は他の例を示す。本例の場合、後側に位置する大径ファン部３ａのフィン３４の位置と前側に位置する小径ファン部３ｂのフィン３５の位置とを周方向にずらせてある。このようにしてあると、ファン１３を駆動したときの騒音を低減できる。
【００１５】
【発明の効果】
本発明は叙述のようにファンの前室側の部分と後室側の部分との外径を違えて大径ファン部と小径ファン部とを形成すると共に仕切板の開口縁を小径ファン部の外周に位置させたので、前室と後室との間の圧力差で仕切板の開口縁と小径ファン部の外周との間を空気を流れようとしても流路が複雑になって空気が流れにくくなり、前室と後室との間で空気の漏れが少なくなって前室や後室が所定の圧力に保たれ、エアーカーテンや空気清浄化の性能が落ちることがないものである。
【００１６】
また本発明の請求項２記載の発明にあっては、ファンの前室側の部分を小径ファン部とすると共にファンの後室側の部分を大径ファン部とし、仕切板の開口縁を小径ファン部の外周に位置させているので、後室側が大径ファン部で送風できて後室の送風量を多くしてより完全なエアーカーテンを形成できるものである。また本発明の請求項３記載の発明にあっては、筺体の背面にエアーカーテン用空気吸い込み口を設け、筺体の背面に筺体の背面が壁面等に密着しないようにするための離間用の突出部を筺体の背面に設けているので、筺体を机の上に置いて筺体の背面を壁面等に近づけてもエアーカーテン用空気吸い込み口を塞ぐことがなく、本来の性能を発揮することができ、またモータの異常発熱を防止することができるものである。
【図面の簡単な説明】
【図１】本発明の空気清浄器の実施の形態の一例の概略を示し、（ａ）は側面から見た断面図、（ｂ）は平面から見た断面図である。
【図２】同上の空気清浄器の正面図である。
【図３】同上の空気清浄器の側面図である。
【図４】同上の空気清浄器の分解斜視図である。
【図５】同上の他の方向から見た一部分解斜視図である。
【図６】同上の他例の概略を示し、（ａ）は側面から見た断面図、（ｂ）は平面から見た断面図である。
【図７】同上の他例の概略を示す側面から見た断面図である。
【図８】同上の他例を説明する概略説明図であり、（ａ）は比較例を示し、（ｂ）は本発明のものを示す。
【図９】同上の他例を説明する説明図である。
【図１０】従来例の概略を示し、（ａ）は側面から見た一部省略断面図、（ｂ）は平面から見た断面図である。
【符号の説明】
１  筺体
２  仕切板
３  前室
４  後室
５  浄化用空気吸い込み口
６  吐出口
７  フィルター
９  エアーカーテン用吸い込み口
１０  エアーカーテン用吹き出し口
１２  開口
１３  ファン
１３ａ  大径ファン部
１３ｂ  小径ファン部
１４  突出部
【図１】
0003666205.tif 000002
【図２】
0003666205.tif 000003
【図３】
0003666205.tif 000004
【図４】
0003666205.tif 000005
【図５】
0003666205.tif 000006
【図６】
0003666205.tif 000007
【図７】
0003666205.tif 000008
【図８】
0003666205.tif 000009
【図９】
0003666205.tif 000010
【図１０】
0003666205.tif 000011